(57)【特許請求の範囲】
【請求項１】
物体側から順に、
正の屈折力の第１レンズ群と、
負の屈折力の第２レンズ群と、
変倍の全域で全体として正の屈折力の後方レンズ群より構成され、
前記後方レンズ群は物体側より順に、
正の屈折力の第３レンズ群と、正の屈折力の第４レンズ群と、負の屈折力の第５レンズ群とから成る、
又は、正の屈折力の第３レンズ群と、正の屈折力の第４レンズ群と、負の屈折力の第５レンズ群と、負の屈折力の第６レンズ群とから成り、
各レンズ群の間は空気間隔を以って隔てられ、変倍時に各レンズ群の間の空気間隔が変化し、
後方レンズ群は変倍時に独立の軌道で移動する少なくとも２つのレンズ群から構成され、
第２レンズ群は物体側より順に負の屈折力の２ａ群と負の屈折力の２ｂ群より構成されて２ｂ群を光軸と直行する方向に変位させることによって防振を行い、
２ａ群は最も物体側に正の屈折力を持つレンズ成分を有し、
以下の条件式を満足することを特徴とする防振機能を備えた変倍結像光学系。
（１）０．７０  ＜  ｜ＬＴ２ａ／  ｆ２ａ｜  ＜  ０．８５
（２）−０．０２５  ＜  ｄｐｐ２ａ  ／  ｜ｆ２ａ｜  ＜  −０．００５
ただし、
ＬＴ２ａは２ａ群の最も物体側の面から２ａ群の像側焦点までの距離、
ｆ２ａは２ａ群の焦点距離、
ｄｐｐ２ａは２ａ群の物体側主点から像側主点までの距離、
である。
【請求項２】
前記第２レンズ群は変倍時に像面に対して固定されていることを特徴とする請求項１に記載の防振機能を備えた変倍結像光学系
【請求項３】
前記後方レンズ群はもっとも物体側に正の屈折力の第３レンズ群を備えることを特徴とする請求項１又は２に記載の防振機能を備えた変倍結像光学系
【請求項４】
前記後方レンズ群はもっとも像側に負の屈折力のレンズ群を有し、フォーカシングに際して、前記後方レンズ群中の第３レンズ群を除いたいずれかのレンズ群の全体または一部を移動させることを特徴とする請求項３に記載の防振機能を備えた変倍結像光学系。
【発明の詳細な説明】
【技術分野】
【０００１】
本発明は、スチルカメラ、ビデオカメラ等に用いられる変倍結像光学系に関し、特に画角が狭く、更に防振機能を備えた変倍結像光学系に関するものである。
【背景技術】
【０００２】
近年、デジタルスチルカメラ等に用いられる結像光学系への防振機能の搭載が進んでおり、超望遠レンズを用いた写真撮影でも手振れによる失敗が減少し、超望遠レンズが身近なものとなってきている。このため更に長い焦点距離を持ち画角の狭い結像光学系が要望されるようになってきている。
【０００３】
例えば、望遠端の画角が、３５ｍｍ判に換算して焦点距離５００ｍｍ乃至６００ｍｍに相当する半画角２度乃至２．５度程度の結像光学系が特許文献にも記載されている。
【先行技術文献】
【特許文献】
【０００４】
【特許文献１】特開２０１１−１７９１２号公報
【特許文献２】特開２０１２−２０８４３４号公報
【特許文献３】特開２０１１−１８６０９５号公報
【特許文献４】特開２０１３−９７３２２号公報
【特許文献５】特開２０１４−１２６８５１号公報
【発明の概要】
【発明が解決しようとする課題】
【０００５】
画角の狭い、長焦点の結像光学系においては、まず焦点距離に比べて光学系全長を短くすることが求められる。光学系の全長を焦点距離で割った値を望遠比と呼ぶが、この値が１を十分下回ることが望ましい。焦点距離に比例して全長が長くなると持ち運び等に支障が生じるため、特に半画角２度乃至２．５度程度の光学系においては望遠比０．７を下回るようにしたい。
【０００６】
望遠比を小さくするためには、もっとも物体側に正屈折力のレンズ群を配置し、正屈折力のレンズ群より像側に負屈折力のレンズ群を配置した、いわゆる望遠型またはテレフォトタイプと呼ばれる屈折力配置とするのが効果的であるが、物体側より絞りをはさんで正の屈折力のレンズ群と負の屈折力を配置すると、望遠比を小さくするほどに倍率色収差の補正が難しくなるという弱点を持つ。
【０００７】
また、長焦点の結像光学系においては、特に物体側をはじめとして全体にレンズエレメントの径が大きくなり、防振レンズ群の重量が重くなる傾向にある。防振レンズ群の重量が増大した分、アクチュエータの駆動力を大きくするにはアクチュエータの大型化が必要となり鏡筒の更なる大型化を招く。逆にアクチュエータの駆動力が不足すれば応答性に問題が発生して手振れの補正精度が低下し、製品全体としての実用性に問題が出る。
【０００８】
更に、長焦点の結像光学系においては手振れに起因する像ぶれも大きくなって防振群の光軸直交方向への変位が大きくなる傾向にある。防振群の光軸直交方向への変位が大きくなると、防振稼動部やアクチュエータの径方向のサイズが増大し、鏡筒全体の径が太くなる。
【０００９】
したがって防振群は出来る限り光線径を抑制して軽量に設定する必要があるとともに、防振群の光軸直交方向への変位に対する像の光軸直交方向への変位の比、すなわち防振係数を十分に大きくして必要な防振群の変位量を小さくしなければならない。
【００１０】
防振群と同様に、フォーカス群についても重量と変位量が長焦点レンズにおいて大きくなる傾向があり、光線径の抑制とフォーカス敏感度の確保が課題である。
【００１１】
特許文献１に記載の光学系は望遠端での光学全長の短縮をよく達成しているが、防振群の径が大きく、また防振係数が小さいために鏡筒の径の抑制が難しい。更に軸上色収差の補正が不十分であり結像性能に問題がある。
【００１２】
特許文献２に記載の光学系は望遠端での望遠比がおよそ０．７７であるが更なる短縮を図りたい。更にフォーカス群の光線径が特に広角端において高いためフォーカス群重量に課題が残る。
【００１３】
特許文献３に記載の光学系は半径１１ｍｍほどのイメージサークルに対応し、望遠比が０．６５を切り光学全長がきわめて短いが、防振については言及されていない。
【００１４】
特許文献４に記載の光学系は望遠比約０．６５と光学全長が非常に短いが、防振群の径が大きすぎて、防振群が１枚の構成でありながらも軽量化が不十分である。また望遠端の倍率色収差の補正も不十分で性能に問題がある。
【００１５】
特許文献５に記載の光学系  は望遠比約０．６５と光学全長が非常に短く、防振群の径も抑制されているが、防振係数が小さくて望遠端での防振群移動量が抑制されていないほか、防振群のシフトに伴う特にコマ収差の変動が大きく、防振時の性能が十分といえない。
【００１６】
本発明はこのような状況に鑑みてなされたものであり、望遠端の半画角２度程度で、イメージサークルが大きく望遠端の焦点距離の長い変倍結像光学系において、全長を抑えながら、防振群の重量を抑制した、防振機能を備えた高性能な変倍結像光学系を提供することを目的とする。
【課題を解決するための手段】
【００１７】
そこで、上記課題を解決するため、請求項１に記載の発明は、
物体側から順に、
正の屈折力の第１レンズ群と、
負の屈折力の第２レンズ群と、
変倍の全域で全体として正の屈折力の後方レンズ群より構成され、
前記後方レンズ群は物体側より順に、
正の屈折力の第３レンズ群と、正の屈折力の第４レンズ群と、負の屈折力の第５レンズ群とから成る、
又は、正の屈折力の第３レンズ群と、正の屈折力の第４レンズ群と、負の屈折力の第５レンズ群と、負の屈折力の第６レンズ群とから成り、
各レンズ群の間は空気間隔を以って隔てられ、変倍時に各レンズ群の間の空気間隔が変化し、
後方レンズ群は変倍時に独立の軌道で移動する少なくとも２つのレンズ群から構成され、
第２レンズ群は物体側より順に負の屈折力の２ａ群と負の屈折力の２ｂ群より構成されて２ｂ群を光軸と直行する方向に変位させることによって防振を行い、
２ａ群は最も物体側に正の屈折力を持つレンズ成分を有し、
以下の条件式（１）及び（２）を満足することを特徴とする防振機能を備えた変倍結像光学系とした。
（１）０．７０  ＜  ｜ＬＴ２ａ ／  ｆ２ａ｜  ＜  ０．８５
（２）−０．０２５  ＜  ｄｐｐ２ａ  ／  ｜ｆ２ａ｜  ＜  −０．００５
ただし、
ＬＴ２ａは２ａ群の最も物体側の面から２ａ群の像側焦点までの距離、
ｆ２ａは２ａ群の焦点距離、
ｄｐｐ２ａは２ａ群の物体側主点から像側主点までの距離、
である。
【００１８】
また請求項２に記載の発明は、  
前記第２レンズ群は変倍時に像面に対して固定されていることを特徴とする請求項１に記載の防振機能を備えた変倍結像光学系とした。
【００１９】
また請求項３に記載の発明は、
前記後方レンズ群はもっとも物体側に正の屈折力の第３レンズ群を備えることを特徴とする請求項１又は２に記載の防振機能を備えた変倍結像光学系とした。
【００２０】
また請求項４に記載の発明は、
前記後方レンズ群はもっとも像側に負の屈折力のレンズ群を有し、
フォーカシングに際して、前記後方レンズ群中の第３レンズ群を除いたいずれかのレンズ群の全体または一部を移動させることを特徴とする請求項３に記載の防振機能を備えた変倍結像光学系とした。
【発明の効果】
【００２１】
本発明によれば、望遠端の半画角２度程度で、イメージサークルが大きく望遠端の焦点距離の長い変倍結像光学系において、全長を抑えながら、防振群の重量を抑制した、防振機能を備えた変倍結像光学系を提供することができる。
【図面の簡単な説明】
【００２２】
【図１】本発明の結像光学系の実施例１に係るレンズ構成図である。
【図２】実施例１の結像光学系の広角端の撮影距離無限遠における縦収差図である。
【図３】実施例１の結像光学系の中望遠の撮影距離無限遠における縦収差図である。
【図４】実施例１の結像光学系の望遠端の撮影距離無限遠における縦収差図である。
【図５】実施例１の結像光学系の広角端の撮影距離無限遠における横収差図である。
【図６】実施例１の結像光学系の中望遠の撮影距離無限遠における横収差図である。
【図７】実施例１の結像光学系の望遠端の撮影距離無限遠における横収差図である。
【図８】実施例１の結像光学系の広角端の撮影距離無限遠における０．３°防振時の横収差図である。
【図９】実施例１の結像光学系の中望遠の撮影距離無限遠における０．３°防振時の横収差図である。
【図１０】実施例１の結像光学系の望遠端の撮影距離無限遠における０．３°防振時の横収差図である。
【図１１】本発明の結像光学系の実施例２に係るレンズ構成図である。
【図１２】実施例２の結像光学系の広角端の撮影距離無限遠における縦収差図である。
【図１３】実施例２の結像光学系の中望遠の撮影距離無限遠における縦収差図である。
【図１４】実施例２の結像光学系の望遠端の撮影距離無限遠における縦収差図である。
【図１５】実施例２の結像光学系の広角端の撮影距離無限遠における横収差図である。
【図１６】実施例２の結像光学系の中望遠の撮影距離無限遠における横収差図である。
【図１７】実施例２の結像光学系の望遠端の撮影距離無限遠における横収差図である。
【図１８】実施例２の結像光学系の広角端の撮影距離無限遠における０．３°防振時の横収差図である。
【図１９】実施例２の結像光学系の中望遠の撮影距離無限遠における０．３°防振時の横収差図である。
【図２０】実施例２の結像光学系の望遠端の撮影距離無限遠における０．３°防振時の横収差図である。
【図２１】本発明の結像光学系の実施例３に係るレンズ構成図である。
【図２２】実施例３の結像光学系の広角端の撮影距離無限遠における縦収差図である。
【図２３】実施例３の結像光学系の中望遠の撮影距離無限遠における縦収差図である。
【図２４】実施例３の結像光学系の望遠端の撮影距離無限遠における縦収差図である。
【図２５】実施例３の結像光学系の広角端の撮影距離無限遠における横収差図である。
【図２６】実施例３の結像光学系の中望遠の撮影距離無限遠における横収差図である。
【図２７】実施例３の結像光学系の望遠端の撮影距離無限遠における横収差図である。
【図２８】実施例３の結像光学系の広角端の撮影距離無限遠における０．３°防振時の横収差図である。
【図２９】実施例３の結像光学系の中望遠の撮影距離無限遠における０．３°防振時の横収差図である。
【図３０】実施例３の結像光学系の望遠端の撮影距離無限遠における０．３°防振時の横収差図である。
【図３１】本発明の結像光学系の実施例４に係るレンズ構成図である。
【図３２】実施例４の結像光学系の広角端の撮影距離無限遠における縦収差図である。
【図３３】実施例４の結像光学系の中望遠の撮影距離無限遠における縦収差図である。
【図３４】実施例４の結像光学系の望遠端の撮影距離無限遠における縦収差図である。
【図３５】実施例４の結像光学系の広角端の撮影距離無限遠における横収差図である。
【図３６】実施例４の結像光学系の中望遠の撮影距離無限遠における横収差図である。
【図３７】実施例４の結像光学系の望遠端の撮影距離無限遠における横収差図である。
【図３８】実施例４の結像光学系の広角端の撮影距離無限遠における０．３°防振時の横収差図である。
【図３９】実施例４の結像光学系の中望遠の撮影距離無限遠における０．３°防振時の横収差図である。
【図４０】実施例４の結像光学系の望遠端の撮影距離無限遠における０．３°防振時の横収差図である。
【図４１】本発明の結像光学系の実施例５に係るレンズ構成図である。
【図４２】実施例５の結像光学系の広角端の撮影距離無限遠における縦収差図である。
【図４３】実施例５の結像光学系の中望遠の撮影距離無限遠における縦収差図である。
【図４４】実施例５の結像光学系の望遠端の撮影距離無限遠における縦収差図である。
【図４５】実施例５の結像光学系の広角端の撮影距離無限遠における横収差図である。
【図４６】実施例５の結像光学系の中望遠の撮影距離無限遠における横収差図である。
【図４７】実施例５の結像光学系の望遠端の撮影距離無限遠における横収差図である。
【図４８】実施例５の結像光学系の広角端の撮影距離無限遠における０．３°防振時の横収差図である。
【図４９】実施例５の結像光学系の中望遠の撮影距離無限遠における０．３°防振時の横収差図である。
【図５０】実施例５の結像光学系の望遠端の撮影距離無限遠における０．３°防振時の横収差図である。
【図５１】本発明の結像光学系の実施例６に係るレンズ構成図である。
【図５２】実施例６の結像光学系の広角端の撮影距離無限遠における縦収差図である。
【図５３】実施例６の結像光学系の中望遠の撮影距離無限遠における縦収差図である。
【図５４】実施例６の結像光学系の望遠端の撮影距離無限遠における縦収差図である。
【図５５】実施例６の結像光学系の広角端の撮影距離無限遠における横収差図である。
【図５６】実施例６の結像光学系の中望遠の撮影距離無限遠における横収差図である。
【図５７】実施例６の結像光学系の望遠端の撮影距離無限遠における横収差図である。
【図５８】実施例６の結像光学系の広角端の撮影距離無限遠における０．３°防振時の横収差図である。
【図５９】実施例６の結像光学系の中望遠の撮影距離無限遠における０．３°防振時の横収差図である。
【図６０】実施例６の結像光学系の望遠端の撮影距離無限遠における０．３°防振時の横収差図である。
【図６１】本発明の結像光学系の実施例７に係るレンズ構成図である。
【図６２】実施例７の結像光学系の広角端の撮影距離無限遠における縦収差図である。
【図６３】実施例７の結像光学系の中望遠の撮影距離無限遠における縦収差図である。
【図６４】実施例７の結像光学系の望遠端の撮影距離無限遠における縦収差図である。
【図６５】実施例７の結像光学系の広角端の撮影距離無限遠における横収差図である。
【図６６】実施例７の結像光学系の中望遠の撮影距離無限遠における横収差図である。
【図６７】実施例７の結像光学系の望遠端の撮影距離無限遠における横収差図である。
【図６８】実施例７の結像光学系の広角端の撮影距離無限遠における０．３°防振時の横収差図である。
【図６９】実施例７の結像光学系の中望遠の撮影距離無限遠における０．３°防振時の横収差図である。
【図７０】実施例７の結像光学系の望遠端の撮影距離無限遠における０．３°防振時の横収差図である。
【図７１】本発明の結像光学系の実施例８に係るレンズ構成図である。
【図７２】実施例８の結像光学系の広角端の撮影距離無限遠における縦収差図である。
【図７３】実施例８の結像光学系の中望遠の撮影距離無限遠における縦収差図である。
【図７４】実施例８の結像光学系の望遠端の撮影距離無限遠における縦収差図である。
【図７５】実施例８の結像光学系の広角端の撮影距離無限遠における横収差図である。
【図７６】実施例８の結像光学系の中望遠の撮影距離無限遠における横収差図である。
【図７７】実施例８の結像光学系の望遠端の撮影距離無限遠における横収差図である。
【図７８】実施例８の結像光学系の広角端の撮影距離無限遠における０．３°防振時の横収差図である。
【図７９】実施例８の結像光学系の中望遠の撮影距離無限遠における０．３°防振時の横収差図である。
【図８０】実施例８の結像光学系の望遠端の撮影距離無限遠における０．３°防振時の横収差図である。
【発明を実施するための形態】
【００２３】
本発明の防振機能を備えた変倍結像光学系は、図１、図１１、図２１、図３１、図４１、図５１、図６１、図７１に示す各レンズ構成図のとおり、物体側から順に正の屈折率の第１レンズ群と、負の屈折力の第２レンズ群、および第２レンズ群に後続する少なくとも２つの後方レンズ群から構成されて変倍の全域で全体として正の屈折力の後方レンズ群より構成される。
【００２４】
各レンズ群の間は空気間隔を以って隔てられ、変倍時に各レンズ群の間隔が変化する。第２レンズ群は物体側から順に負の屈折力の２ａ群と負の屈折力の２ｂ群より構成され、２ｂ群を光軸と直交する方向に変位させることによって防振を行う。２ａ群は最も物体側に正の屈折力のレンズ成分を有しており、所定の条件式を満足するように構成される。
【００２５】
望遠端の焦点距離を長くしながら全長を抑制するために、物体側より順に正の屈折力の第１レンズ群と負の屈折力の第２レンズ群を配置して望遠型の屈折力配置を構成している。
【００２６】
広角端から望遠端への変倍は、主として第１レンズ群と第２レンズ群の間隔を増加させることによって行う。
【００２７】
また広角端から望遠端への変倍に伴って第２レンズ群と後方レンズ群の間隔は減少し、第２レンズ群と後方レンズ群の合成系の屈折力は負の方向へ変化する。この作用によって第１レンズ群と、第２レンズ群および後方レンズ群の合成系の形成する望遠型屈折力配置が広角端から望遠端に向かって強くなることになる。広角端では全系の合成焦点距離に対して光学系全長が相対的に長く、望遠端では全系の合成焦点距離に対して光学系全長が相対的に短くなり、第１レンズ群の移動量の抑制が行える。
【００２８】
第２レンズ群は第１レンズ群に比べ大幅に光線径が低くなり、防振群として用いることで防振群の軽量化に適する。更に第２レンズ群を物体側から順に２ａ群と２ｂ群に分割して、像側に配されてより光線径の低い２ｂ群のみを防振に用いることにより防振群の更なる軽量化に適する。
【００２９】
２ａ群の最も物体側には正の屈折力のレンズ成分を配置する。２ａ群全体として負の屈折力とするために、必然的に、より像側に負の屈折力のレンズ成分を配置することになる。このような配置とすることで２ａ群自体が望遠型の屈折力配置となるよう構成している。この配置の効果によって光学系全系の全長の短縮を行いながら、２ａ群から射出する軸上光線径を低くして防振群である２ｂ群における軸上光線径を低く出来るため、防振群の軽量化に効果的である。
【００３０】
光学系全系の全長の短縮は、前方の正の屈折力を持つ部分ならびに後方の負の屈折力の部分の屈折力をそれぞれ強くすることによっても達成可能である。しかしながら各群の屈折力が強くなることで各群の収差発生が大きくなってしまう。特に絞りよりも前の正群と、絞りよりも後ろの負群の屈折力を強くすることで倍率色収差の補正や変倍時の変動の抑制が困難となって全系での性能維持が難しい。
【００３１】
間に絞りを挟まない２ａ群内で望遠比の小さい構成をとることは、全長を短縮しながらの性能の維持に関しても効果的である。
【００３２】
条件式（１）は２ａ群の望遠比を規定し、光学系全系の短縮および防振群の軽量化に関して望ましい範囲を示すものである。
【００３３】
条件式（１）の上限を超え、２ａ群の望遠比が大きくなると全長短縮ならびに２ｂ群の光線径の抑制が不十分であって防振群の軽量化も不十分である。
【００３４】
条件式（１）の下限を超え、２ａ群の望遠比が小さくなると、全長の短縮ならびに光線径の抑制の効果は高くなるが、最も物体側の正の屈折力のレンズ成分の屈折力が強くなりすぎてレンズのティルトに伴う非点収差の変動が大きくなりやすく、製造誤差による性能低下が大きくなってしまう。
【００３５】
条件式（１）の上限を０．８３に、更に０．８２に、また条件式（１）の下限を０．７１に、更に０．７２にすることで本発明の効果をより確実に達成することができる。
【００３６】
条件式（２）は２ａ群の２つの主点の間隔を規定し、光学系全系の短縮および防振群の軽量化に関して望ましい範囲を示すものである。
【００３７】
２ａ群の物体側主点が像側主点に対して像側に位置することによって、光学系全系の全長を短くすることが出来る。また、より短い区間で軸上光線径を低く出来るので、全長を短縮しながら２ｂ群の光線径を抑制することができる。
【００３８】
条件式（２）の上限を上回ると物体側主点は像側主点に対して物体側に位置しすぎ  、全長短縮ならびに光線径の抑制が不十分である。
【００３９】
条件式（２）の下限を下回ると全長の短縮ならびに光線径の抑制の効果は高くなるが、最も物体側の正の屈折力のレンズ成分の屈折力が強くなりすぎてレンズのティルトに伴う非点収差の変動が大きくなりやすく、製造誤差による性能低下が大きくなってしまう。
【００４０】
条件式（２）の上限を−０．００８に、更に−０．０１０に、また条件式（２）の下限を−０．０２２に、更に−０．０２０にすることで本発明の効果をより確実に達成することができる。
【００４１】
本発明の防振機能を備えた変倍結像光学系においては、第２レンズ群は変倍時に像面に対して固定されていることが望ましい。なぜなら、第２レンズ群には防振群を含むため制御配線をつなぐ必要がある。第２レンズ群が移動する場合はフレキシブル配線によって接続し、第２レンズ群の移動に伴って無理な応力をフレキシブル配線にかけないために、フレキシブル配線をたわませて退避させる空間が必要となる。その空間の確保のためには鏡筒全体の小型化が難しくなる。
【００４２】
本発明の防振機能を備えた変倍結像光学系においては、後方レンズ群の最も物体側に正の屈折力の第３レンズ群を備えることが望ましい。望遠端において負の屈折力の第２レンズ群に対して正の屈折力の第３レンズ群を接近させることにより、望遠端での第２レンズ群と第３レンズ群の合成系の負の屈折力を強くでき、望遠端での光学全長の短縮でき、第１レンズ群の移動量の抑制に有効である。
【００４３】
本発明の防振機能を備えた変倍結像光学系においては、フォーカシングに際して、前記後方レンズ群中の第３レンズ群を除いたいずれかのレンズ群の全体または一部を移動させることが望ましい。
【００４４】
長焦点レンズにおいては近距離へのフォーカシングのためのデフォーカス量が大きくなる。オートフォーカスの駆動の速度の向上を鑑みれば、第１にフォーカシングレンズ群は軽量であること、第２にフォーカシングレンズ群の単位移動量に対する像面の移動量が大きいこと、の２点が達成されることが望ましい。
【００４５】
長焦点の光学系において物体側に近い部分をフォーカシングに使用するには外径が大きすぎ、重量が全く抑制できない。本発明の変倍結像光学系においては、光束が第１レンズ群で収斂され、第２レンズ群で発散され、第３レンズ群で収斂される。そのため、前記後方レンズ群中の第３レンズ群よりも更に後方のレンズ群であれば、光束は十分に収斂されており、十分な軽量化が可能である。
【００４６】
また、光学系全系の短縮のためには光学系の最も像側のレンズ群は強い負の屈折力を備えることが望ましい。この強い負の屈折力のためにこの最も像側のレンズ群の結像倍率は大きくなる。そのため、この最も像側のレンズ群の全体または一部、あるいは最も像側のレンズ群よりも物体側のレンズ群の全体または一部においては、レンズ群の単位移動量あたりの像面移動量が大きくなりやすい。
【００４７】
これらの性質から、後方レンズ群中の最も物体側に位置する第３レンズ群を除いたいずれかのレンズ群の全体または一部によってフォーカシングを行うことが望ましい。
【００４８】
次に、本発明の結像光学系に係る実施例のレンズ構成について説明する。
なお、以下の説明ではレンズ構成を物体側から像側の順番で記載する。
【実施例１】
【００４９】
図１は、本発明の実施例１の結像光学系のレンズ構成図である。
【００５０】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。
【００５１】
第３レンズ群Ｇ３から第５レンズ群Ｇ５までの合成系が後方レンズ群Ｇｒにあたる。
【００５２】
第１レンズ群Ｇ１は、物体側に凸面を向けた負メニスカスレンズＬ１と、両凸レンズＬ２と、物体側に凸面を向けた正メニスカスレンズＬ３から構成される。
【００５３】
第２レンズ群は、物体側より順に負の屈折力の２ａ群と負の屈折力の２ｂ群より構成され、２ｂ群のみを光軸と直行する方向に変位させることにより防振を行う。
【００５４】
２ａ群は物体側に凸面を向けた正メニスカスレンズＬ４と、両凸レンズＬ５と両凹レンズＬ６からなる接合レンズから構成される。
【００５５】
２ｂ群は両凹レンズＬ７と、両凹レンズＬ８および両凸レンズＬ９からなる接合レンズから構成される。
【００５６】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００５７】
開口絞りは第３レンズ群の像側に備えられ、変倍に伴って第３レンズ群と一体で移動する。
【００５８】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。第４レンズ群Ｇ４は、全体が無限遠方から近距離へのフォーカシングに際して物体側へ移動する。
【００５９】
第５レンズ群Ｇ５は、物体側に凸面を向けた負メニスカスレンズＬ１８と、両凹レンズＬ１９と両凸レンズＬ２０からなる接合レンズから構成される。
【実施例２】
【００６０】
図１１は、本発明の実施例２の結像光学系のレンズ構成図である。
【００６１】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。
【００６２】
第３レンズ群Ｇ３から第５レンズ群Ｇ５までの合成系が後方レンズ群Ｇｒにあたる。
【００６３】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００６４】
第２レンズ群は、物体側より順に負の屈折力の２ａ群と負の屈折力の２ｂ群より構成され、２ｂ群のみを光軸と直行する方向に変位させることにより防振を行う。
【００６５】
２ａ群は物体側に凸面を向けた正メニスカスレンズＬ４と、両凸レンズＬ５と両凹レンズＬ６からなる接合レンズから構成される。
【００６６】
２ｂ群は両凹レンズＬ７と、両凹レンズＬ８および両凸レンズＬ９からなる接合レンズから構成される。
【００６７】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００６８】
開口絞りは第３レンズ群の像側に備えられ、変倍に伴って第３レンズ群と一体で移動する。
【００６９】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。第４レンズ群Ｇ４は、全体が無限遠方から近距離へのフォーカシングに際して物体側へ移動する。
【００７０】
第５レンズ群Ｇ５は、物体側に凸面を向けた負メニスカスレンズＬ１８と、両凹レンズＬ１９と両凸レンズＬ２０からなる接合レンズから構成される。
【実施例３】
【００７１】
図２１は、本発明の実施例３の結像光学系のレンズ構成図である。
【００７２】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。
【００７３】
第３レンズ群Ｇ３から第５レンズ群Ｇ５までの合成系が後方レンズ群Ｇｒにあたる。
【００７４】
第１レンズ群Ｇ１は、物体側に凸面を向けた負メニスカスレンズＬ１と、両凸レンズＬ２と、物体側に凸面を向けた正メニスカスレンズＬ３から構成される。
【００７５】
第２レンズ群は、物体側より順に負の屈折力の２ａ群と負の屈折力の２ｂ群より構成され、２ｂ群のみを光軸と直行する方向に変位させることにより防振を行う。
【００７６】
２ａ群は物体側に凸面を向けた正メニスカスレンズＬ４と、両凸レンズＬ５と両凹レンズＬ６からなる接合レンズから構成される。
【００７７】
２ｂ群は両凹レンズＬ７と、両凹レンズＬ８および両凸レンズＬ９からなる接合レンズから構成される。
【００７８】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００７９】
開口絞りは第３レンズ群の像側に備えられ、変倍に伴って第３レンズ群と一体で移動する。
【００８０】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。第４レンズ群Ｇ４は、全体が無限遠方から近距離へのフォーカシングに際して物体側へ移動する。
【００８１】
第５レンズ群Ｇ５は、物体側に凸面を向けた負メニスカスレンズＬ１８と、両凹レンズＬ１９と両凸レンズＬ２０からなる接合レンズから構成される。
【実施例４】
【００８２】
図３１は、本発明の実施例４の結像光学系のレンズ構成図である。
【００８３】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。
【００８４】
第３レンズ群Ｇ３から第５レンズ群Ｇ５までの合成系が後方レンズ群Ｇｒにあたる。
【００８５】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００８６】
第２レンズ群は、物体側より順に負の屈折力の２ａ群と負の屈折力の２ｂ群より構成され、２ｂ群のみを光軸と直行する方向に変位させることにより防振を行う。
【００８７】
２ａ群は物体側に凸面を向けた正メニスカスレンズＬ４と、両凸レンズＬ５と両凹レンズＬ６からなる接合レンズから構成される。
【００８８】
２ｂ群は両凹レンズＬ７と、両凹レンズＬ８および物体側に凸面を向けた正メニスカスレンズＬ９からなる接合レンズから構成される。
【００８９】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【００９０】
開口絞りは第３レンズ群の像側に備えられ、変倍に伴って第３レンズ群と一体で移動する。
【００９１】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。
【００９２】
第５レンズ群Ｇ５は、物体側に凸面を向けた負メニスカスレンズＬ１８と、両凹レンズＬ１９と物体側に凸面を向けた正メニスカスＬ２０からなる接合レンズから構成される。
第５レンズ群Ｇ５は、全体が無限遠方から近距離へのフォーカシングに際して像側へ移動する。
【実施例５】
【００９３】
図４１は、本発明の実施例５の結像光学系のレンズ構成図である。
【００９４】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。
【００９５】
第３レンズ群Ｇ３から第５レンズ群Ｇ５までの合成系が後方レンズ群Ｇｒにあたる。
【００９６】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【００９７】
第２レンズ群は、物体側より順に負の屈折力の２ａ群と負の屈折力の２ｂ群より構成され、２ｂ群のみを光軸と直行する方向に変位させることにより防振を行う。
【００９８】
２ａ群は物体側に凸面を向けた正メニスカスレンズＬ４と、両凸レンズＬ５と両凹レンズＬ６からなる接合レンズから構成される。
【００９９】
２ｂ群は両凹レンズＬ７と、両凹レンズＬ８および物体側に凸面を向けた正メニスカスレンズＬ９からなる接合レンズから構成される。
【０１００】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【０１０１】
開口絞りは第３レンズ群の像側に備えられ、変倍に伴って第３レンズ群と一体で移動する。
【０１０２】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。
【０１０３】
第５レンズ群Ｇ５は、物体側に凸面を向けた負メニスカスレンズＬ１８と、両凹レンズＬ１９と物体側に凸面を向けた正メニスカスレンズＬ２０からなる接合レンズから構成される。第５レンズ群Ｇ５は、全体が無限遠方から近距離へのフォーカシングに際して像側へ移動する。
【実施例６】
【０１０４】
図５１は、本発明の実施例６の結像光学系のレンズ構成図である。
【０１０５】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。
【０１０６】
第３レンズ群Ｇ３から第５レンズ群Ｇ５までの合成系が後方レンズ群Ｇｒにあたる。
【０１０７】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【０１０８】
第２レンズ群は、物体側より順に負の屈折力の２ａ群と負の屈折力の２ｂ群より構成され、２ｂ群のみを光軸と直行する方向に変位させることにより防振を行う。
【０１０９】
２ａ群は物体側に凸面を向けた正メニスカスレンズＬ４と、両凸レンズＬ５と両凹レンズＬ６からなる接合レンズから構成される。
【０１１０】
２ｂ群は両凹レンズＬ７と、両凹レンズＬ８および物体側に凸面を向けた正メニスカスレンズＬ９からなる接合レンズから構成される。
【０１１１】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【０１１２】
開口絞りは第３レンズ群の像側に備えられ、変倍に伴って第３レンズ群と一体で移動する。
【０１１３】
第４レンズ群Ｇ４は、両凸レンズＬ１５と像側に凸面を向けた負メニスカスレンズＬ１６からなる接合レンズと、両凸レンズＬ１７と、から構成される。
【０１１４】
第５レンズ群Ｇ５は、負の屈折力の５ａ群と負の屈折力の５ｂ群と、から構成される。５ａ群は物体側に凸面を向けた負メニスカスレンズＬ１８と物体側に凸面を向けた正メニスカスレンズＬ１９と、から構成される。
【０１１５】
５ｂ群は両凹レンズＬ２０と物体側に凸面を向けた正メニスカスレンズＬ２１からなる接合レンズから構成される。５ｂ群は、無限遠方から近距離へのフォーカシングに際して像側へ移動する。
【実施例７】
【０１１６】
図６１は、本発明の実施例７の結像光学系のレンズ構成図である。
【０１１７】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、負の屈折力の第５レンズ群Ｇ５、および負の屈折力の第６レンズ群Ｇ６から構成される。
【０１１８】
第３レンズ群Ｇ３から第６レンズ群Ｇ６までの合成系が後方レンズ群Ｇｒにあたる。
【０１１９】
第１レンズ群Ｇ１は、物体側に凸面を向けた負メニスカスレンズＬ１と両凸レンズＬ２からなる接合レンズと、物体側に凸面を向けた平凸レンズＬ３から構成される。
【０１２０】
第２レンズ群は、物体側より順に負の屈折力の２ａ群と負の屈折力の２ｂ群より構成され、２ｂ群のみを光軸と直行する方向に変位させることにより防振を行う。
【０１２１】
２ａ群は物体側に凸面を向けた正メニスカスレンズＬ４と、両凸レンズＬ５と両凹レンズＬ６からなる接合レンズから構成される。
【０１２２】
２ｂ群は両凹レンズＬ７と、両凹レンズＬ８および物体側に凸面を向けた正メニスカスレンズＬ９からなる接合レンズから構成される。
【０１２３】
第３レンズ群Ｇ３は両凸レンズＬ１０と、両凸レンズＬ１１と像側に凸面を向けた負メニスカスレンズＬ１２からなる接合レンズと、物体側に凸面を向けた正メニスカスレンズＬ１３と、物体側に凸面を向けた負メニスカスレンズＬ１４と、から構成される。
【０１２４】
開口絞りは第３レンズ群の像側に備えられ、変倍に伴って第３レンズ群と一体で移動する。
【０１２５】
第４レンズ群Ｇ４は、両凸レンズＬ１５と像側に凸面を向けた負メニスカスレンズＬ１６からなる接合レンズと、両凸レンズＬ１７と、から構成される。
【０１２６】
第５レンズ群Ｇ５は、物体側に凸面を向けた負メニスカスレンズＬ１８と物体側に凸面を向けた正メニスカスレンズＬ１９と、から構成される。第５レンズ群Ｇ５は、無限遠方から近距離へのフォーカシングに際して像側へ移動する。
【０１２７】
第６レンズ群Ｇ６は両凹レンズＬ２０と物体側に凸面を向けた正メニスカスレンズＬ２１からなる接合レンズから構成される。
【実施例８】
【０１２８】
図７１は、本発明の実施例８の結像光学系のレンズ構成図である。
【０１２９】
物体側より順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。
【０１３０】
第３レンズ群Ｇ３から第５レンズ群Ｇ５までの合成系が後方レンズ群Ｇｒにあたる。
【０１３１】
第１レンズ群Ｇ１は、物体側に凸面を向けた負メニスカスレンズＬ１と、両凸レンズＬ２と、物体側に凸面を向けた正メニスカスレンズＬ３から構成される。
【０１３２】
第２レンズ群は、物体側より順に負の屈折力の２ａ群と負の屈折力の２ｂ群より構成され、２ｂ群のみを光軸と直行する方向に変位させることにより防振を行う。
【０１３３】
２ａ群は物体側に凸面を向けた正メニスカスレンズＬ４と、両凸レンズＬ５と両凹レンズＬ６からなる接合レンズから構成される。
【０１３４】
２ｂ群は両凹レンズＬ７と、両凹レンズＬ８および両凸レンズＬ９からなる接合レンズから構成される。
【０１３５】
第３レンズ群Ｇ３は両凸レンズＬ１０と、両凸レンズＬ１１と両凹レンズＬ１２からなる接合レンズと、物体側に凸面を向けた正メニスカスレンズＬ１３と、物体側に凸面を向けた負メニスカスレンズＬ１４と、から構成される。
【０１３６】
開口絞りは第３レンズ群の像側に備えられ、変倍に伴って第３レンズ群と一体で移動する。
【０１３７】
第４レンズ群Ｇ４は、両凸レンズＬ１５と像側に凸面を向けた負メニスカスレンズＬ１６からなる接合レンズと、物体側に凸面を向けた正メニスカスレンズＬ１７と、から構成される。第４レンズ群Ｇ４は、全体が無限遠方から近距離へのフォーカシングに際して物体側へ移動する。
【０１３８】
第５レンズ群Ｇ５は、物体側に凸面を向けた負メニスカスレンズＬ１８と、両凹レンズＬ１９と両凸レンズＬ２０からなる接合レンズから構成される。
【０１３９】
以下に、前述した本発明の結像光学系の各実施例の具体的な数値データを示す。
【０１４０】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【０１４１】
面番号に付した（絞り）は、その位置に開口絞りが位置していることを示している。平面又は開口絞りに対する曲率半径には∞（無限大）を記入している。また、ＢＦはバックフォーカスを表している。
【０１４２】
［各種データ］には、各撮影距離状態における焦点距離等の値を示している。
【０１４３】
［可変間隔データ］には、各撮影距離状態における可変間隔及びＢＦの値を示している。
【０１４４】
［レンズ群データ］には、各レンズ群を構成する最も物体側の面番号及び群全体の合成焦点距離を示している。
【０１４５】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１４６】
また、これらの各実施例における条件式の対応値の一覧を示す。
【０１４７】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１４８】
数値実施例１
単位：mm
[面データ]
面番号           r          d         nd       vd
1            357.6638    3.0000   1.80611   40.73
2            145.8989    0.1000
3            145.8989   10.7551   1.49700   81.61
4           -794.0595    0.1500
5            135.5390   10.1849   1.43700   95.10
6           7136.8093      (d6)
7            137.9806    3.0791   1.72916   54.67
8            758.9464   20.2528
9            299.5544    2.6811   1.56732   42.84
10          -133.6568    1.0000   1.77250   49.62
11            92.0241    6.0917
12          -162.5813    0.8000   1.69680   55.46
13            83.9180    3.0070
14           -56.0081    0.8000   1.69680   55.46
15            74.4381    2.9326   1.80518   25.46
16          -271.5499     (d16)
17           297.4981    3.8735   1.69680   55.46
18           -72.3818    0.1500
19            63.0217    5.0039   1.49700   81.61
20           -56.2842    1.0000   1.90043   37.37
21           325.1721    0.1500
22            33.0876    4.2056   1.62004   36.30
23           102.9453    2.4546
24            46.7524    1.0000   1.91082   35.25
25            28.9828    5.7612
26(絞り)              ∞     (d26)
27           150.4164    4.1498   1.58913   61.25
28           -35.3902    1.0000   1.95375   32.32
29           -66.3121    0.1500
30            60.0137    2.5699   1.58913   61.25
31           439.8894     (d31)
32            78.1384    1.0000   1.90043   37.37
33            30.9430    8.3296
34           -75.9406    1.0000   1.49700   81.61
35            32.0303    4.0594   1.64769   33.84
36          -260.4427    （BF）
像面                ∞
[各種データ]
ズーム比            3.75
広角       中間      望遠
焦点距離          154.54    270.00    578.90
Fナンバー            5.20      5.81      6.51
全画角2ω           15.63      8.97      4.19 
像高Y             21.63     21.63     21.63
レンズ全長       298.6040  342.3965  377.7921
[可変間隔データ]
広角       中間      望遠
d6             47.8371   91.6295  127.0254
d16             32.3023   26.1575    3.5000 
d26             30.1327   15.9882   22.9567
d31             14.6883    8.4186    1.9977
BF             62.9518   89.5109  111.6205
[レンズ群データ]
群            始面     焦点距離
G1             1         255.26
G2             7         -46.06
G3             17         72.20
G4             27         60.80
G5             32        -60.88
G2a             7        -357.47
G2b             12        -48.13
【０１４９】
数値実施例２
単位：mm
[面データ]
面番号           r          d         nd       vd
1            528.6730    3.0000   1.83481   42.72
2            143.5131   10.5261   1.49700   81.61
3           -536.1702    0.1500
4            133.2008    9.3074   1.49700   81.61
5                  ∞      (d5)
6            148.9229    2.9114   1.71736   29.50
7            700.0000   22.6935
8            165.3603    2.7965   1.51742   52.15
9           -165.3603    1.0000   1.88300   40.80
10            93.6370    6.0627
11          -250.0754    0.7000   1.69680   55.46
12            92.3831    2.8270
13           -57.3765    0.7000   1.69680   55.46
14            75.3753    2.7812   1.80518   25.46
15          -472.9495     (d15)
16           284.2091    3.3355   1.69680   55.46
17           -67.7648    0.1500
18            70.9155    5.0947   1.49700   81.61
19           -53.8213    1.0000   1.90043   37.37
20           337.6022    0.1500
21            34.4130    5.7994   1.58144   40.89
22            96.3145    1.3784
23            45.9295    1.9000   1.88100   40.14
24            30.4137    5.5139
25(絞り)              ∞     (d25)
26           160.1209    4.1084   1.65844   50.85
27           -35.9129    1.0000   1.95375   32.32
28           -80.1123    0.1500
29            67.7459    2.2114   1.58913   61.25
30           554.6238     (d30)
31            63.9746    1.0000   1.91082   35.25
32            29.1749    8.7771
33           -72.7482    1.0000   1.43700   95.10
34            31.9872    4.5267   1.64769   33.84
35         -1000.0000    （BF）
像面                ∞
[各種データ]
ズーム比            3.74
広角       中間      望遠
焦点距離          154.67    270.00    578.86
Fナンバー            5.15      5.77      6.50
全画角2ω           15.58      8.96      4.19
像高Y             21.63     21.63     21.63
レンズ全長       298.9062  343.6742  379.0453
[可変間隔データ]
広角       中間      望遠
d5             48.3963   93.1642  128.5354
d15             30.4954   25.6247    3.5000 
d25             34.1791   19.6736   24.9615
d30             18.4411    9.9704    1.9974
BF             54.8430    82.6900   107.4997
[レンズ群データ]
群            始面     焦点距離
G1             1         256.25
G2             6         -46.11
G3             16         71.10
G4             26         65.07
G5             31        -65.77
G2a             6        -267.24
G2b             11        -51.20
【０１５０】
実施例３
単位：mm
[面データ]
面番号           r          d         nd       vd
1            373.7120    3.0000   1.80611   40.73
2            148.6143    0.1000
3            148.6143   10.6839   1.49700   81.61
4           -731.3819    0.1500
5            137.0582   10.1463   1.43700   95.10
6          14951.7522      (d6)
7            116.0743    4.0892   1.72916   54.67
8            403.7009   20.7778
9            293.4642    3.6165   1.56732   42.84
10          -123.6305    1.6647   1.77250   49.62
11            71.3448    6.3805
12          -145.4433    0.8000   1.69680   55.46
13           104.6635    2.6947
14           -60.2911    0.8000   1.69680   55.46
15            72.6162    2.9409   1.80518   25.46
16          -297.3883     (d16)
17           312.8853    3.8974   1.69680   55.46
18           -71.2933    0.1500
19            62.7609    5.0466   1.49700   81.61
20           -56.5939    1.0000   1.90043   37.37
21           324.7258    0.1500
22            33.4685    4.1701   1.62004   36.30
23           101.2724    2.7853
24            46.3806    1.0000   1.91082   35.25
25            29.1987    5.7625
26(絞り)              ∞     (d26)
27           141.0544    4.1662   1.58913   61.25
28           -36.0830    1.0000   1.95375   32.32
29           -68.3457    0.1500
30            59.9188    2.5555   1.58913   61.25
31           391.7408     (d31)
32            75.5933    1.0000   1.90043   37.37
33            30.9362    9.3376
34           -80.2760    1.0000   1.49700   81.61
35            31.7778    4.0939   1.64769   33.84
36          -337.4440      (BF)
像面                ∞
[各種データ]
ズーム比            3.74
広角       中間      望遠
焦点距離          154.65    269.99    578.93
Fナンバー            5.18      5.80      6.48
全画角2ω           15.66      8.98      4.19
像高Y             21.63     21.63     21.63
レンズ全長       298.6675  342.4427  378.4134
[可変間隔データ]
広角       中間      望遠
d6             43.8852   87.6604  123.6307
d16             32.2743   25.7705    3.5000 
d26             30.3672   16.5059   23.1094
d31             14.2104    8.2370     1.9975
BF             62.8208   89.1593  111.0662
[レンズ群データ]
群            始面     焦点距離
G1             1         255.76
G2             7         -45.76
G3             17         71.22
G4             27         61.27
G5             32        -61.45
G2a             7        -213.69
G2b             12        -52.85
【０１５１】
実施例４
単位：mm
[面データ]
面番号           r          d         nd       vd
1            378.1538    3.0000   1.83481   42.72
2            129.8799   10.1967   1.49700   81.61
3          -1207.9001    0.1500
4            128.8993    9.5152   1.49700   81.61
5                  ∞      (d5)
6            136.4357    2.9694   1.71736   29.50
7            520.1053   22.5262
8            157.9367    2.8856   1.51742   52.15
9           -157.9367    1.0000   1.88300   40.80
10            96.4016    6.0478
11          -343.4654    0.7000   1.69680   55.46
12            84.3415    2.7699
13           -64.5497    0.7000   1.69680   55.46
14            63.5386    2.7771   1.80518   25.46
15          2214.2403     (d15)
16           320.9977    3.3148   1.69680   55.46
17           -66.4937    0.1500
18            72.1850    5.0395   1.49700   81.61
19           -54.1974    1.0000   1.90043   37.37
20           347.1276    0.1500
21            34.9884    5.4911   1.58144   40.89
22           100.1616    0.9803
23            46.2672    1.9000   1.88100   40.14
24            30.8087    5.5414
25(絞り)              ∞     (d25)
26           184.7128    4.1778   1.65844   50.85
27           -36.1480    1.0000   1.95375   32.32
28           -77.2303    0.1500
29            71.5466    2.3326   1.58913   61.25
30          1830.4119     (d30)
31            77.3392    1.0000   1.91082   35.25
32            32.1806   10.2760
33           -78.1132    1.6681   1.43700   95.10
34            36.1981    4.4142   1.67270   32.17
35         10228.2235      (BF)
像面                ∞
[各種データ]
ズーム比            3.74
広角       中間      望遠
焦点距離          154.65    269.95    578.87
Fナンバー            5.07      5.83      6.50
全画角2ω           15.71      9.03      4.21
像高Y             21.63     21.63     21.63
レンズ全長       298.9917  341.5260  379.1790
[可変間隔データ]
広角       中間      望遠
d5             47.3884   89.9225  127.5760 
d15             29.5144   24.3542    3.5000 
d25             36.9826   19.2524   19.9625
d30             19.1013   10.5429    1.9972
BF             52.1813   83.6303  112.3196
[レンズ群データ]
群            始面     焦点距離
G1             1         257.80
G2             6         -46.22
G3             16         71.96
G4             26         64.13
G5             31        -65.81
G2a             6        -299.30
G2b             11        -49.93
【０１５２】
実施例５
単位：mm
[面データ]
面番号           r          d         nd       vd
1            373.2439    3.0000   1.83481   42.72
2            128.8795   10.2630   1.49700   81.61
3          -1288.9145    0.1500
4            128.2438    9.6096   1.49700   81.61
5                  ∞      (d5)
6            137.6764    2.9639   1.71736   29.50
7            544.3756   22.6620
8            149.6888    2.9567   1.51742   52.15
9           -149.6888    1.0000   1.88300   40.80
10            94.6010    6.0666
11          -314.7976    0.7000   1.69680   55.46
12            86.0375    2.7411
13           -64.5500    0.7000   1.69680   55.46
14            64.5618    2.7794   1.80518   25.46
15          5702.1522     (d15)
16           346.2888    3.2611   1.69680   55.46
17           -67.4490    0.1500
18            75.1045    4.9850   1.49700   81.61
19           -54.3536    1.0000   1.90043   37.37
20           388.8141    0.1500
21            35.6793    4.7690   1.58144   40.89
22           107.1754    1.0796
23            47.2787    1.9000   1.88100   40.14
24            31.5149    5.5389
25(絞り)              ∞     (d25)
26           198.8545    4.1456   1.65844   50.85
27           -36.1922    1.0000   1.95375   32.32
28           -75.7005    0.1500
29            69.5985    2.3143   1.59349   67.00
30          1112.9818     (d30)
31            75.6091    1.0000   1.90043   37.37
32            32.3743   11.1880
33           -83.0905    1.0000   1.43700   95.10
34            36.5367    4.2928   1.67270   32.17
35           674.4266      (BF)
像面                ∞
[各種データ]
ズーム比            3.74
広角       中間      望遠
焦点距離          154.65    269.99    578.88
Fナンバー            5.04      5.86      6.49
全画角2ω           15.71      9.03      4.21
像高Y             21.63     21.63     21.63
レンズ全長       299.0765  340.6390  379.3817
[可変間隔データ]
広角       中間      望遠
d5             46.8751   88.4376  127.1801
d15             28.9404   23.7846    3.5000 
d25             38.1845   19.9778   21.7946
d30             19.5085   10.9735    1.9975
BF             52.0514   83.9489  111.3929
[レンズ群データ]
群            始面     焦点距離
G1             1         257.64
G2             6         -46.46
G3             16         73.66
G4             26         63.71
G5             31        -64.70
G2a             6        -292.50
G2b             11        -50.41
【０１５３】
実施例６
単位：mm
[面データ]
面番号           r          d         nd       vd
1            365.4891    3.0000   1.83481   42.72
2            127.0846   10.3046   1.49700   81.61
3          -1427.5505    0.1500
4            127.1046    9.6873   1.49700   81.61
5                  ∞      (d5)
6            144.9780    3.0032   1.71736   29.50
7            709.8099   22.5926
8            139.7435    3.0697   1.51742   52.15
9           -139.7435    1.0000   1.88300   40.80
10            91.2159    6.1098
11          -305.2438    0.7000   1.69680   55.46
12            87.7611    2.7308
13           -64.5798    0.7000   1.69680   55.46
14            66.8529    2.7379   1.80518   25.46
15          6415.1292     (d15)
16           917.0159    3.1606   1.62041   60.34
17           -65.4856    0.1500
18            81.4594    5.1676   1.49700   81.61
19           -50.2651    1.0000   1.91082   35.25
20         12857.9429    0.1500
21            39.7020    3.7454   1.64769   33.84
22           165.3683    3.3038
23            52.9808    1.9000   1.88100   40.14
24            33.0522    5.4858
25(絞り)              ∞     (d25)
26           294.0289    4.2603   1.69680   55.46
27           -35.1097    1.0000   1.95375   32.32
28           -80.1614    0.1500
29            78.1387    2.5322   1.59349   67.00
30          -377.4708     (d30)
31            87.7761    1.0000   1.80420   46.50
32            26.8830    2.2144   1.72825   28.32
33            36.6224   21.2579
34          -101.5049    2.0000   1.43700   95.10
35            37.2848    4.1070   1.60342   38.01
36           203.2256      (BF)
像面                ∞
[各種データ]
ズーム比            3.74
広角       中間      望遠
焦点距離          154.77    270.00    578.86
Fナンバー            5.06      5.84      6.49
全画角2ω           15.71      9.03      4.21
像高Y             21.63     21.63     21.63
レンズ全長       298.7481  340.7869  379.0428
[可変間隔データ]
広角       中間      望遠
d5             46.0134   88.0521  126.3078
d15             29.1520    23.7340     3.5000 
d25             32.6154   19.6895   25.1890
d30             17.4253   10.1944    1.9975
BF             45.1711   70.7460    93.6776
[レンズ群データ]
群            始面     焦点距離
G1             1         257.14
G2             6         -46.18
G3             16         77.20
G4             26         62.34
G5             31        -59.18
G2a             6        -277.76
G2b             11        -50.55
G5a             31        -75.35
G5b             34       -357.07
【０１５４】
実施例７
単位：mm
[面データ]
面番号           r          d         nd       vd
1            370.6330    3.0000   1.83481   42.72
2            127.6111   10.3116   1.49700   81.61
3          -1345.5535    0.1500
4            127.2682    9.6767   1.49700   81.61
5                  ∞      (d5)
6            145.7558    2.9973   1.71736   29.50
7            723.8084   22.5896
8            140.5816    3.0595   1.51742   52.15
9           -140.5816    1.0000   1.88300   40.80
10            91.5361    6.1057
11          -300.0543    0.7000   1.69680   55.46
12            88.4743    2.7214
13           -64.5061    0.7000   1.69680   55.46
14            66.6869    2.7410   1.80518   25.46
15          6186.2394     (d15)
16          1220.3717    3.1551   1.62041   60.34
17           -64.6325    0.1500
18            82.7645    5.1690   1.49700   81.61
19           -49.8333    1.0000   1.91082   35.25
20         -4479.2347    0.1500
21            39.6642    3.7281   1.64769   33.84
22           159.7630    3.4204
23            52.6520    1.9000   1.88100   40.14
24            32.9896    5.4905
25(絞り)              ∞     (d25)
26           285.4516    4.2383   1.69680   55.46
27           -35.2509    1.0000   1.95375   32.32
28           -81.6685    0.1500
29            80.1273    2.5468   1.59349   67.00
30          -304.8572     (d30)
31            88.3160    1.0000   1.80420   46.50
32            27.2454    2.1595   1.75520   27.53
33            36.0764     (d33)
34           -96.6261    1.9935   1.43700   95.10
35            38.1247    4.1376   1.60342   38.01
36           223.3526      (BF)
像面                ∞
[各種データ]
ズーム比            3.74
広角       中間      望遠
焦点距離          154.77    269.96    578.86
Fナンバー            5.10      5.84      6.51
全画角2ω           15.71      9.03      4.21
像高Y             21.63     21.63     21.63
レンズ全長       298.8477  341.1342  379.1761
[可変間隔データ]
広角       中間      望遠
d5             46.2834   88.5697  126.6121
d15             29.7073   23.7653    3.5000 
d25             31.4942   20.0095   25.3557
d30             16.6915   10.2099    1.9971
ｄ33            22.6552   20.3464   21.2514
BF             44.8745   71.0918   93.3182
[レンズ群データ]
群            始面     焦点距離
G1             1         257.40
G2             6         -46.22
G3             16         77.13
G4             26         62.12
G5             31        -75.06
G6             33       -350.93
G2a             6        -278.80
G2b             11        -50.58
【０１５５】
実施例８
単位：mm
[面データ]
面番号           r          d         nd       vd
1            550.2301    3.0000   1.83481   42.72
2            144.9435   10.6178   1.49700   81.61
3           -508.0778    0.1500
4            133.4833    9.2990   1.49700   81.61
5                  ∞      (d5)
6            148.9001    2.9142   1.71736   29.50
7            700.0000   22.4340
8            159.6819    2.8639   1.51742   52.15
9           -159.6819    1.0000   1.88300   40.80
10            91.2597    6.1064
11          -214.1812    0.7000   1.69680   55.46
12            94.8167    2.8442
13           -57.6477    0.7000   1.69680   55.46
14            76.1754    2.8444   1.80518   25.46
15          -392.6584     (d15)
16           235.0685    3.5316   1.69680   55.46
17           -66.2550    0.1500
18            70.0938    5.2152   1.49700   81.61
19           -53.3381    1.0000   1.90043   37.37
20           296.4532    0.1500
21            34.3415    5.7678   1.58144   40.89
22            89.1967    2.6246
23            46.2929    1.9000   1.88100   40.14
24            30.4491    5.4557
25(絞り)              ∞     (d25)
26           154.5168    4.0267   1.65844   50.85
27           -36.8251    1.0000   1.95375   32.32
28           -82.3995    0.1500
29            63.3772    2.2199   1.58913   61.25
30           373.4005     (d30)
31            64.6555    1.0000   1.91082   35.25
32            29.1373    8.8009
33           -73.8858    1.0000   1.43700   95.10
34            31.7813    4.5840   1.64769   33.84
35         -1000.0000    （BF）
像面                ∞
[各種データ]
ズーム比            3.74
広角       中間      望遠
焦点距離          154.67    270.01    578.85
Fナンバー            5.14      5.75      6.50
全画角2ω           15.58      8.95      4.19
像高Y             21.63     21.63     21.63
レンズ全長       298.9154  344.1588  379.0824
[可変間隔データ]
広角       中間      望遠
d5             47.8096   93.0528  127.9769
d15             30.3675   25.8998    3.5000 
d25             34.5016   19.2696   25.0138
d30             18.0578    9.2937    1.9973
BF             54.1286   82.5926  106.5441
[レンズ群データ]
群            始面     焦点距離
G1             1         255.82
G2             6         -45.90
G3             16         69.85
G4             26         64.59
G5             31        -65.63
G2a             6        -254.33
G2b             11        -51.56
【０１５６】
実施例1 実施例2 実施例3 実施例4 実施例5 実施例6 実施例7 実施例8 
条件式1  0.814   0.781   0.732   0.790   0.785   0.778   0.779   0.776  
条件式2 -0.0144 -0.0153 -0.0190 -0.0161 -0.0166 -0.0170 -0.0169 -0.0150
【０１５７】
また、本発明の結像光学系では、以下の構成を伴うことがより効果的である。
【０１５８】
後方レンズ群は物体側より順に正の屈折力の第３レンズ群、正の屈折力の第４レンズ群、負の屈折力の第５レンズ群からなることがより望ましい。
【０１５９】
ただし、本発明は上記のような５群構成以外の構成を排除するものではない。第５レンズ群の更に後ろに、単体で十分に諸収差の補正された減倍光学系または増倍光学系を追加した構成をも当然に含む。当然ながら、減倍光学系または増倍光学系を第１レンズ群から第５レンズ群までを備える本発明の光学系に追加した系は、第１レンズ群から第５レンズ群までを備える本発明の光学系の特徴を備えた系である。減倍光学系または増倍光学系の追加前後で光学系が本質的に変化したものではない。
【０１６０】
２ａ群は物体側から順に正レンズと、正レンズと負レンズからなる接合レンズから構成されることがより望ましい。
【０１６１】
２ｂ群は正レンズ１枚を含む３枚以下のレンズから構成されることがより望ましい。４枚以上の枚数とした場合には防振群の重量の抑制が困難となってしまう。
【０１６２】
また、２ｂ群の色収差を補正して防振時の横色収差の発生を抑えるために、２ｂ群内に少なくとも１枚の正レンズを有することが望ましい。
【０１６３】
また、２ｂ群の負の屈折力を十分に保ちながら、特に球面収差やコマ収差等の発生を抑制するために、２ｂ群内に２枚の負レンズを有することが望ましい。
【符号の説明】
【０１６４】
Ｇ１      第１レンズ群
Ｇ２      第２レンズ群
Ｇ２ａ    ２ａ群（第２レンズ群前群）
Ｇ２ｂ    ２ｂ群（第２レンズ群後群）
Ｇｒ      後方レンズ群
Ｇ３      第３レンズ群
Ｇ４      第４レンズ群
Ｇ５      第５レンズ群
Ｇ５ａ    ５ａ群（第５レンズ群前群）
Ｇ５ｂ    ５ｂ群（第５レンズ群後群）
Ｇ６      第６レンズ群
Ｓ        開口絞り
Ｉ        像面
【図１】
0006515480.tif 000002
【図２】
0006515480.tif 000003
【図３】
0006515480.tif 000004
【図４】
0006515480.tif 000005
【図５】
0006515480.tif 000006
【図６】
0006515480.tif 000007
【図７】
0006515480.tif 000008
【図８】
0006515480.tif 000009
【図９】
0006515480.tif 000010
【図１０】
0006515480.tif 000011
【図１１】
0006515480.tif 000012
【図１２】
0006515480.tif 000013
【図１３】
0006515480.tif 000014
【図１４】
0006515480.tif 000015
【図１５】
0006515480.tif 000016
【図１６】
0006515480.tif 000017
【図１７】
0006515480.tif 000018
【図１８】
0006515480.tif 000019
【図１９】
0006515480.tif 000020
【図２０】
0006515480.tif 000021
【図２１】
0006515480.tif 000022
【図２２】
0006515480.tif 000023
【図２３】
0006515480.tif 000024
【図２４】
0006515480.tif 000025
【図２５】
0006515480.tif 000026
【図２６】
0006515480.tif 000027
【図２７】
0006515480.tif 000028
【図２８】
0006515480.tif 000029
【図２９】
0006515480.tif 000030
【図３０】
0006515480.tif 000031
【図３１】
0006515480.tif 000032
【図３２】
0006515480.tif 000033
【図３３】
0006515480.tif 000034
【図３４】
0006515480.tif 000035
【図３５】
0006515480.tif 000036
【図３６】
0006515480.tif 000037
【図３７】
0006515480.tif 000038
【図３８】
0006515480.tif 000039
【図３９】
0006515480.tif 000040
【図４０】
0006515480.tif 000041
【図４１】
0006515480.tif 000042
【図４２】
0006515480.tif 000043
【図４３】
0006515480.tif 000044
【図４４】
0006515480.tif 000045
【図４５】
0006515480.tif 000046
【図４６】
0006515480.tif 000047
【図４７】
0006515480.tif 000048
【図４８】
0006515480.tif 000049
【図４９】
0006515480.tif 000050
【図５０】
0006515480.tif 000051
【図５１】
0006515480.tif 000052
【図５２】
0006515480.tif 000053
【図５３】
0006515480.tif 000054
【図５４】
0006515480.tif 000055
【図５５】
0006515480.tif 000056
【図５６】
0006515480.tif 000057
【図５７】
0006515480.tif 000058
【図５８】
0006515480.tif 000059
【図５９】
0006515480.tif 000060
【図６０】
0006515480.tif 000061
【図６１】
0006515480.tif 000062
【図６２】
0006515480.tif 000063
【図６３】
0006515480.tif 000064
【図６４】
0006515480.tif 000065
【図６５】
0006515480.tif 000066
【図６６】
0006515480.tif 000067
【図６７】
0006515480.tif 000068
【図６８】
0006515480.tif 000069
【図６９】
0006515480.tif 000070
【図７０】
0006515480.tif 000071
【図７１】
0006515480.tif 000072
【図７２】
0006515480.tif 000073
【図７３】
0006515480.tif 000074
【図７４】
0006515480.tif 000075
【図７５】
0006515480.tif 000076
【図７６】
0006515480.tif 000077
【図７７】
0006515480.tif 000078
【図７８】
0006515480.tif 000079
【図７９】
0006515480.tif 000080
【図８０】
0006515480.tif 000081